(57)【要約】      （修正有）【課題】商品を盗難から効果的に保護するセキュリティシステムを提供する。【解決手段】商品セキュリティシステム１０は、商品に固定されたセンサ１２と、センサ及び商品１４を取外し可能に支持する基部１８とを含む。システムは、センサに動作可能に連結されたリコイラ２２も含む。リコイラは、螺旋状凹部を画定する回転可能な部材を含む。システムは、センサに接続したケーブル２０であって、ケーブルが引き延ばされると回転可能な部材から巻き戻され、ケーブルが引き込まれると回転可能な部材に巻き取られるように構成された、ケーブルも含む。ケーブルは、センサが基部から離昇することに応じてリコイラから引き延ばされ、センサが基部の着座位置に移動することに応じてリコイラ内に引き込まれるように構成される。螺旋状凹部は、ケーブルが回転可能な部材に巻き取られるとケーブルを少なくとも部分的に受け入れるように構成される。【選択図】図１
0003218623.tif 000002
【実用新案登録請求の範囲】
【請求項１】
商品を展示しながら盗難から保護するための商品セキュリティシステムであって、
前記商品に固定されるように構成されたセンサと、
前記センサ及び前記商品を取外し可能に支持するための基部と、
前記センサに動作可能に連結されたリコイラであって、螺旋状凹部を画定する回転可能な部材を備えている、リコイラと、
前記センサに接続するように構成されたケーブルであって、前記ケーブルが引き延ばされる場合に前記回転可能な部材から巻き戻され、前記ケーブルが引き込まれる場合に前記回転可能な部材に巻き取られるように構成されている、ケーブルと
を備えてなり、
前記ケーブルは、前記センサが前記基部から離昇することに応じて、前記基部から引き延ばされるように構成されており、前記ケーブルは、前記センサが前記基部の着座位置に移動することに応じて、前記基部内に引き込まれるように構成されており、
前記螺旋状凹部は、前記ケーブルが前記回転可能な部材に巻き取られる場合に前記ケーブルを少なくとも部分的に受け入れるように構成されている、商品セキュリティシステム。
【請求項２】
前記回転可能な部材の外面は、前記螺旋状凹部を画定している、請求項１に記載の商品セキュリティシステム。
【請求項３】
前記螺旋状凹部は、約５ｍｍ未満のピッチを有している、請求項２に記載の商品セキュリティシステム。
【請求項４】
前記回転可能な部材の一端に固定されたバネをさらに備える、請求項１に記載の商品セキュリティシステム。
【請求項５】
前記バネの反対端にスリップリングをさらに備える、請求項４に記載の商品セキュリティシステム。
【請求項６】
前記回転可能な部材に連結され、かつ前記ケーブルに電気的に接続されたスリップリングをさらに備える、請求項１に記載の商品セキュリティシステム。。
【請求項７】
前記ケーブルは、前記スリップリングに電気的に接続される複数の導体を備えている、請求項６に記載の商品セキュリティシステム。
【請求項８】
前記回転可能な部材は、前記ケーブルが前記回転可能な部材に巻き取られる場合及び前記回転可能な部材から巻き戻される場合に軸を中心として回転するように構成されている、請求項１に記載の商品セキュリティシステム。
【請求項９】
前記ケーブルは、前記回転可能な部材上に重ね巻きされるように前記回転可能な部材の周りに巻き取られるように、構成されている、請求項１に記載の商品セキュリティシステム。
【請求項１０】
前記ケーブルは、前記回転可能な部材の周りに前記螺旋状凹部に沿って巻かれることによって第１のケーブル層を画定するように構成されており、さらに、前記ケーブルは、前記第１のケーブル層の周りに巻かれることによって第２のケーブル層を画定するように構成されている、請求項９に記載の商品セキュリティシステム。
【請求項１１】
前記ケーブルは、前記第１のケーブル層を画定するために第１の螺旋方向に巻かれ、前記第２のケーブル層を画定するために第２の螺旋方向に巻かれるように構成されている、請求項１０に記載の商品セキュリティシステム。
【請求項１２】
前記第１の螺旋方向と前記第２の螺旋方向とは、互いに反対である、請求項１１に記載の商品セキュリティシステム。
【請求項１３】
前記回転可能な部材は、スプールから構成されている、請求項１に記載の商品セキュリティシステム。
【請求項１４】
前記基部は、前記リコイラを収容するように構成されている、請求項１に記載の商品セキュリティシステム。
【請求項１５】
前記基部内に配置され、前記商品の補助装置に動作可能に接続するように構成された補助ポートをさらに備える、請求項１に記載の商品セキュリティシステム。
【請求項１６】
商品を展示しながら盗難から保護するための方法であって、
センサを前記商品に固定するステップであって、リコイラが前記センサに動作可能に連結されており、前記リコイラは、螺旋状凹部を画定する回転可能な部材を備えている、ステップと、
前記センサ及び前記商品を取外し可能に支持する基部を支持面に取り付けるステップと、
ケーブルを前記センサに接続するステップと
を含んでなり、
前記ケーブルは、前記センサが前記基部から離昇することに応じて、前記基部から引き延ばされるように構成されており、前記ケーブルは、前記センサが前記基部の着座位置に移動することに応じて、前記基部内に引き込まれるように構成されており、前記螺旋状凹部は、前記ケーブルが前記回転可能な部材に巻き取られる場合に前記ケーブルを少なくとも部分的に受け入れるように構成されている、方法。
【請求項１７】
前記センサ及び前記商品を前記基部から離昇させるステップをさらに含む、請求項１６に記載の方法。
【請求項１８】
前記ケーブルが前記回転可能な部材の周りに巻かれ、さらに前記回転可能な部材に重ね巻きされるように、前記センサを前記基部上に配置するステップをさらに含む、請求項１７に記載の方法。
【請求項１９】
前記配置するステップは、前記ケーブルが前記回転可能な部材の周りに前記螺旋状凹部に沿って巻かれ、第１のケーブル層を画定し、さらに、前記ケーブルが前記第１のケーブル層の周りに巻かれ、第２のケーブル層を画定するように、前記センサを前記基部上に配置することを含んでいる、請求項１８に記載の方法。
【請求項２０】
前記配置するステップは、前記ケーブルが第１の螺旋方向において巻かれ、前記第１のケーブル層を画定し、さらに第２の螺旋方向において巻かれ、前記第２のケーブル層を画定するように、前記センサを前記基部上に配置することを含んでいる、請求項１９に記載の方法。
【請求項２１】
前記第１及び第２の螺旋方向は、互いに反対である、請求項２０に記載の方法。
【請求項２２】
前記ケーブルを取外し可能なコネクタによって前記センサに接続するステップをさらに含む、請求項１６に記載の方法。
【請求項２３】
商品セキュリティシステム用リコイラであって、
螺旋状凹部を外面に画定する回転可能な部材と、
引き延ばされる場合に前記回転可能な部材から巻き戻され、引き込まれる場合に前記回転可能な部材に巻き取られるように構成されたケーブルと
を備えてなり、
前記螺旋状凹部は、前記ケーブルが前記回転可能な部材に巻き取られる場合に前記ケーブルを少なくとも部分的に受け入れるように構成されている、商品セキュリティシステム用リコイラ。
【請求項２４】
商品を展示しながら盗難から保護するための商品セキュリティシステムであって、
前記商品に固定されるように構成されたセンサと、
前記センサ及び前記商品を取外し可能に支持するための基部と、
前記センサ及び前記基部に動作可能に接続されるように構成されたケーブルと、
前記基部内に配置され、前記商品の補助装置に動作可能に接続するように構成された補助ポートと
を備えてなり、
セキュリティ事象を検出するための検知ループが、前記ケーブル及び前記補助ポート内に画定されている、商品セキュリティシステム。
【請求項２５】
前記基部は、前記商品及び前記補助装置に電力を転送するように構成されている、請求項２４に記載の商品セキュリティシステム。
【考案の詳細な説明】
【技術分野】
【０００１】
［関連出願の相互参照］
本願は、２０１５年１０月１２日に出願された米国仮出願第６２／２４０，１７１号及び２０１６年２月１９日に出願された米国仮出願第６２／２９７，２１４号の優先権の利得を主張するものであり、これらの開示内容は、引用することにより本明細書の一部をなすものとする。
【０００２】
［考案の分野］
本考案の実施形態は、一般に、小売店環境において商品を展示するためのリコイラ、セキュリティシステム、及び方法に関する。
【背景技術】
【０００３】
小売店は、日常的に、電話器、ポータブルコンピュータ（例えば、ノートブック、ラップトップ、タブレット等）、電子リーダ、メディヤプレイヤ等の商品を購買前に値踏みする顧客に対して展示している。これらの商品は、技術及び材料の進展によって絶えず小形化かつ軽量化している。その結果、このような商品は、ますます盗難されやすくなっている。同時に、このような商品の小売店価格、従って、利益率は、絶えず低下している。そのため、これらの商品は、該商品を盗難から効果的にコスト効率良く保護するセキュリティ装置によって守られる必要がある。
【考案の概要】
【０００４】
本考案の実施形態は、商品を展示しながら盗難から保護するためのリコイラ、商品セキュリティシステム、及び方法に関する。一例では、商品セキュリティシステムは、商品に固定されるように構成されたセンサと、センサ及び商品を取外し可能に支持するための基部とを備えている。システムは、センサに動作可能に連結されたリコイラも備えている。リコイラは、螺旋状凹部を画定する回転可能な部材を備えている。さらに、システムは、センサに接続するように構成されたケーブルであって、ケーブルが引き延ばされる場合に回転可能な部材から巻き戻され、ケーブルが引き込まれる場合に回転可能な部材に巻き取られるように構成されている、ケーブルを備えている。ケーブルは、センサが基部から離昇することに応じて、リコイラから引き延ばされるように構成されており、センサが基部の着座位置に移動することに応じて、リコイラ内に引き込まれるように構成されている。螺旋状凹部は、ケーブルが回転可能な部材に巻き取られる場合にケーブルを少なくとも部分的に受け入れるように構成されている。
【０００５】
一実施形態では、商品を提示し、かつ盗難から保護するための方法が提供される。この方法は、センサを商品に固定するステップであって、リコイラがセンサに動作可能に連結されており、該リコイラは、螺旋状凹部を画定する回転可能な部材を備えている、ステップを含んでいる。さらに、この方法は、センサ及び商品を取外し可能に支持する基部を支持面に取り付け、ケーブルをセンサに接続するステップを含んでいる。ケーブルは、センサが基部から離昇することに応じて、基部から引き延ばされるように構成されており、ケーブルは、センサが基部の着座位置に移動することに応じて、基部内に引き込まれるように構成されている。螺旋状凹部は、ケーブルが回転可能な部材に巻き取られる場合にケーブルを少なくとも部分的に受け入れるように構成されている。
【０００６】
他の実施形態では、リコイラが提供される。リコイラは、螺旋状凹部を外面に画定する回転可能な部材と、引き延ばされる場合に回転可能な部材から巻き戻され、引き込まれる場合に回転可能な部材に巻き取られるように構成されたケーブルとを備えている。螺旋状凹部は、ケーブルが回転可能な部材に巻き取られる場合にケーブルを少なくとも部分的に受け入れるように構成されている。
【０００７】
一実施形態では、商品セキュリティシステムは、商品に固定されるように構成されたセンサと、センサ及び商品を取外し可能に支持するための基部とを備えている。また、商品セキュリティシステムは、センサ及び基部に動作可能に接続されるように構成されたケーブルと、基部内に配置され、商品の補助装置に動作可能に接続するように構成された補助ポートとを備えている。基部は、商品及び補助装置に電力を転送するように構成されており、セキュリティ事象を検出するための検知ループが、ケーブル及び補助ポート内に画定されている。
【０００８】
以下に記載する本考案の詳細な説明は、商品を展示するための商品セキュリティシステムの実施形態が開示される添付の図面を参照することにより、よく理解されるであろう。なお、図面において、同様の参照符号は、同一又は同様の部品を指すものとする。
【図面の簡単な説明】
【０００９】
【図１】本考案の実施形態による商品を展示し、かつ保護するための商品セキュリティシステムの側面図である。
【図２】本考案の一実施形態による商品セキュリティシステムの部分斜視図である。
【図３】本考案の一実施形態による基部の斜視図である。
【図４】図３に示される基部の部分斜視図である。
【図５】図３に示される基部の他の部分斜視図である。
【図６】本考案の一実施形態による商品セキュリティシステムの正面図である。
【図７】本考案の一実施形態によるリコイラの正面図である。
【図８】本考案の一実施形態による基部の斜視図である。
【図９】図８に示される基部の後面図である。
【図１０】本考案の一実施形態による基部及びリコイラの側面図である。
【考案を実施するための形態】
【００１０】
商品を展示するための商品セキュリティシステムの１つ以上の実施形態が添付の図面に示されているが、以下、これらの実施形態について説明する。商品は、典型的には、商品を購入するかどうかを決定する前に吟味する顧客のための電子商品、例えば、携帯電話、スマートフォン、コンピュータ（例えば、ノートブック、ラップトップ、タブレット等）、電子リーダ、メディアプレイ等の展示モデル又は使用可能なサンプルである。商品は、典型的には、商品を盗難から保護しながら、見込み客が商品の操作及び特徴を評価することが可能になるように展示される。一実施形態では、センサが、種々の警報状態、例えば、センサからの商品の取外しを検出するために、商品に取り付けられていてもよい。ケーブルの一端がセンサに動作可能に係合されていてもよく、ケーブルの他端がリコイルに固定されていてもよい。また、以下にさらに詳細に説明するように、センサは、ケーブルの警報状態、例えば、ケーブルの切断、切除、取外し、又は離脱を検出するように構成されていてもよい。
【００１１】
図１に示される実施形態によれば、セキュリティシステム１０は、一般に、商品１４に固定されるように構成されたセンサ１２を備えている。センサ１２は、商品１４の入力ジャックに電気的に接続するように構成されたコネクタ１７に電気的に接続されていてもよい。セキュリティシステム１０は、センサ１２及び商品１４を取外し可能に支持するように構成された基部１８を備えていてもよい。いくつかの実施形態では、基部１８及びセンサ１２は、センサが基部上に支持された場合に接触して充電を容易にするための１つ又は複数の接点２８、４０を備えている（例えば、図１及び図８を参照）。加えて、セキュリティシステム１０は、ケーブル２０も備えている。ケーブル２０の一端は、センサ１２に連結され、ケーブル２０の他端は、リコイラ２２に動作可能に係合される。以下にさらに詳細に説明するように、いくつかの実施形態では、ケーブル２０及びセンサ１２を通って画定される検知回路又は検知ループは、センサ１２及び／又は商品１４を充電するために用いられる充電回路から電気的に分離されていてもよい。これによって、検知ループを用いて、ケーブル２０に関連する種々のセキュリティ事象、例えば、ケーブルの切断、短絡、及び／又は遮断を検出することができる。充電回路は、商品１４、及び／又はセンサ１２及び／又は基部１８によって保持された電源４６の充電を可能にするものである。また、センサ１２は、センサ１２及び／又は商品１４に関連するセキュリティ事象、例えば、センサからの商品の取外しを検出するために用いられていてもよい。
【００１２】
センサ１２は、任意の所望の技術、例えば、接着剤及び／又は機械的ブラケットを用いて、商品１４に固定されていてもよい。センサ１２は、商品１４に固定されるための種々の形状及び寸法を有することができる。図１に示される一実施形態では、センサ１２は、商品１４の取外しを検出するための検知装置１５、例えば、圧力スイッチ又はプランジャースイッチを備えていてもよい。加えて、コネクタ１７は、商品１４の入力ジャックに取外し可能に挿入されるように構成されていてもよい。従って、センサ１２及び商品１４は、コネクタ１７を介して電気的に接続されることになる。センサ１２は、印刷回路基板（ＰＣＢ）２１や電気回路等を備えていてもよい。例えば、センサ１２は、基部１８と商品１４との間の電力転送を容易にするための充電回路を備えていてもよい。コネクタ１７は、種々の技術を用いて、例えば、ケーブルを介してＰＣＢ２１に電気的に接続されていてもよい。図示される実施形態では、コネクタ１７は、センサ１２に取り付けられ、そこから延出しているが、商品１４の入力ポートの位置に依存して他の個所に配置されていてもよい。
【００１３】
前述したように、センサ１２は、１つ又は複数の電気接点２８を備えていてもよい。いくつかの実施形態では、センサ１２は、複数の電気接点２８を備えていてもよい。電気接点２８は、センサ１２のＰＣＢ２１及びコネクタ１７に電気的に通信していてもよい。代わりに、電気接点２８は、コネクタ１７にのみ電気的に接続されていてもよい。いくつかの実施形態では、商品１４が基部１８から離昇する場合、センサ１２は、商品１４に電力を供給しないようになっていてもよい。代わりに、商品１４が基部１８から離昇する場合、該商品１４は、それ自体の電源を用いて動作するようになっていてもよい。
【００１４】
基部１８は、固定された支持面又はディスプレイ面２５、例えば、カウンタや棚や取付具等によって支持されるように構成されていてもよい。基部１８は、任意の所望の技術、例えば、接着剤、ブラケット、及び／又は固定具を用いて、支持面２５に固定されてもよい。センサ１２を基部１８に離脱可能に保持するために、基部１８は、１つ又は複数の磁石３４又は磁石材料を備えていてもよく、センサ１２は、１つ又は複数の磁石３６又は磁気材料を備えていてもよい。磁石３４、３６は、商品を所望のディスプレイ方位に位置合せさせるのを助長することができる。
【００１５】
セキュリティシステム１０は、、リコイラ２２及び前述のケーブル２０を備えていてもよい。基部１８は、ケーブル２０を受け入れるための開口を備えていてもよい。これによって、ケーブル２０は、センサ１２及び商品１４が基部から離昇する場合に開口を通って引き延ばされ、センサ及び商品が基部に戻る場合に開口を通って引き込まれることになる。リコイラ２２は、いくつかの実施形態では、ケーブル２０が自動的にリコイラ内に引き込まれるようにバネ付勢されていてもよい。リコイラ２２は、支持面２５の底側に取り付けられるとよい（図１を参照）。しかし、他の実施形態では、リコイラは、基部１８内に収容され、支持面の上側に取り付けられていてもよい。さらに、リコイラ２２は、ケーブル２０に電気的に通信していてもよい。これに関して、ケーブル２０は、ケーブルの長さに沿って延在する１つ又は複数の導体を備えていてもよい。場合によっては、ケーブル２０は、検知ループ又はセンサ回路を画定し、かつ電気信号を導通させるための１対の導体を備えていてもよい。他の場合、ケーブル２０は、単一の導体、例えば、光学信号を導通させるための光学的導体（例えば、光ファイバケーブル）を備えていてもよい。
【００１６】
前述したように、基部１８は、１つ又は複数の電気接点４０を備えていてもよい。基部１８及びセンサ１２の接点２８、４０は、センサが基部上に支持された場合に互いに真っ直ぐに並び、かつ互いに接触するように構成されている。従って、基部１８及びセンサ１２は、センサが基部上に支持された場合に互いに電気的に通信することになる。基部１８は、基部及び／又は基部内の１つ又は複数の電気接点４０に電力を供給するように構成された電源３８に電気的に接続されていてもよい。基部１８は、電力転送を容易にするための１つ又は複数の印刷基板（ＰＣＢ）２１や電気回路等を備えていてもよい。基部１８は、外部電源３８及び電気接点４０からの電力転送を容易にするように構成された充電回路も備えていてもよい。従って、センサ１２が基部１８上に支持されると、電力が接点２８、４０を通ってセンサ１２に転送されることになる。電力が商品１４に供給されるように伝送されると、コネクタ１７がセンサ接点２８に電気的に接続される。従って、商品１４にこのように転送された電力が供給され、この電力は、商品に関連付けられたバッテリを充電するのに用いられることになる。いくつかの実施形態では、センサ１２に伝送される前に、任意の電圧改変が行われていてもよい。種々の動作電圧を必要とする種々の商品１４に適応するためには、電圧改変が必要である。センサ１２の接点２８に電力を供給する前に、任意の電圧改変が行われてもよい。従って、センサ１２及びアダプターケーブル１６は、いかなる電圧改変も行わない。しかし、他の実施形態では、センサ１２は、商品１４への電圧要件を検出するレジスタ又は他の識別器を備えていてもよい。レジスタ又は他の識別器は、センサに電力を供給する前に電圧を必要に応じて調整するための信号を基部１８に供給するものである。前述の実施形態では、電力が接触充電によって転送されるとよいと説明されているが、センサ１２及び商品１４に電力を転送するために他の技術が用いられていてもよいことを理解されたい。例えば、電力を転送させるために、誘導充電機能が用いられていてもよい。さらに、場合によっては、ケーブル２０は、センサ１２及び／又は商品１４に電力を転送するための１つ又は複数の導体を備えていてもよい。
【００１７】
一部の例では、基部１８及びセンサ１２は、基部からのセンサの離昇を検出する電気接点を備えていてもよい。例えば、センサ１２及び基部１８は、各々、センサが基部上に支持されると互いに係合するように構成された接点を有していてもよい。これらの接点は、電力を転送するものではない。しかし、基部１８上の接点は、センサ１２がいつ基部から離昇したかを示すために、及び電気接点２８、４０への電力の転送を停止させるためにＰＣＢに通信していてもよい。この接点の配置によって、センサ１２が基部１８上に戻される場合のアーキング及び電力サージを低減させることができる。なぜならば、センサが離昇した後、電力は、もはや基部上の接点に転送されないからである。
【００１８】
基部１８は、基部内からの音響伝達を容易にするために、基部１８の周囲に画定された１つ又は複数の開口３２を備えていてもよい。これによって、基部１８がアラーム４８を備えている場合、開口３２によって、音響がより容易に基部から伝達されることになる。図３に示される実施形態では、４つの開口３２がディスプレイ面２５に隣接して基部１８の周囲に画定されている。しかし、必要に応じて、任意の数の開口が用いられていてもよい。例えば、図８及び図９は、基部１８’の他の実施形態を示している。この実施形態では、基部１８’は、異なる基部構成、すなわち、基部の前面及び後面に画定された１対の開口３２を有している。
【００１９】
さらに、基部１８，１８’は、商品１４の対応する補助装置に接続するための１つ又は複数の補助ポート３５を備えていてもよい（図９及び図１０を参照）。従って、基部１８，１８’は、商品１４を固定し、該商品を電源コード及び関連する入力電源３８に電気的に接続するのに加え、補助装置、例えば、展示されている商品のための補助装置（例えば、タッチペン、スピーカー、キーボード、ブルートゥース（登録商標）装置等）に電気的に接続するように構成されていてもよい。補助ポート３５は、補助装置の対応する入力コネクタ３７を受け入れるように構成された入力ポート（例えば、マイクロＵＳＢポート）であってもよい（例えば、図１０を参照）。補助装置が補助ポート３５に接続されると、補助ポートは、必要に応じて、電力を受けるように、及び／又は補助装置、例えば、基部１８、１８’から不正に取り外される補助装置に関連する種々のセキュリティ事象を検出するために用いられる検知ループを画定するように構成されていてもよい。補助ポート３５は、センサ１２及びケーブル２０に画定された同一の検知ループの一部であってもよく、又は別の検知ループを画定していてもよい。補助ポート３５が電力を供給するように構成されている場合、充電回路は、補助装置の電力要件を決定し、充電を行うのに必要な電力レベルをもたらすように構成されていてもよい。場合によっては、充電回路は、センサ１２及び／又は商品１４の充電を容易にしながら、補助装置に電力を供給するために、センサ１２及び／又は商品１４に供給される電力の量を低下させるように構成されていてもよい。従って、補助ポート３５は、補助装置が展示され、見込み客によって商品１４と併せて用いられることを可能にし、これによって、小売店は、２つの別々のセキュリティ装置を必要とせずに単一のセキュリティ装置によって、商品１４及び補助装置の両方に電力供給し、かつ盗難から保護することができる。
【００２０】
ケーブル２０は、任意の適切なコードやテザー（繋ぎ紐）等でありうることを理解されたい。加えて、ケーブル２０は、電気信号、セキュリティ信号、及び／又は通信信号を伝達するための１つ又は複数の導体を備えていてもよい。加えて、ケーブル２０は、単一ストランド、多ストランド、又は編組であってもよい。ケーブル２０は、リコイラ２２に対する引延ばし及び引込みを容易にするために柔軟であってもよく、いくつかの実施形態では、耐切断材料から形成されていてもよい。さらに、ケーブル２０は、種々の断面、例えば、丸断面、又は平断面を有することができる。
【００２１】
一実施形態では、ケーブル２０の端は、センサ１２に機械的及び光学的に接続されていてもよい。従って、ケーブル２０は、センサ１２にどのようにも電気的に接続されていなくてもよく、ケーブル内の導体は、センサ及び商品１４に伝達される電力から電気的に絶縁されていてもよい。一実施形態では、センサ１２は、ケーブル２０の端を受け入れるための開口を画定していてもよい。いくつかの実施形態では、ケーブル２０の端は、センサ１２及び／又は商品１４に通信するための光学的な送受信機４２を備えている。同様に、センサ１２は、ケーブル２０の端における該光学的な送受信機に通信するための光学的な送受信機４２を備えていてもよい（例えば、図１を参照）。光学的な送受信機４２は、所定のシーケンス又はパターンで光学信号を伝達し、及び／又は光学信号を受信し、該光学信号を電気信号に変換するために用いられていてもよい。加えて、光学的な送受信機４２は、互いに物理的に接触しないように、かつ互いに電気的に絶縁されるように、空隙によって互いに分離されていてもよい。ケーブル２０は、光学的な送受信機４２に電力を供給するために、かつ信号をセンサ１２内の光学的な送受信機に対して送受信するための１つ又は複数の導体を備えていてもよい。同様に、センサ１２は、電源４６を備えていてもよい。電源４６は、光学的な送受信機４２によって供給された信号を解釈するためにセンサに電力を供給するように、及び光学信号を送受信するために光学的な送受信機に電力を供給するように構成されている。さらに、ケーブル２０の端は、種々の技術を用いてセンサに機械的に連結されていてもよく、いくつかの実施形態では、回転又は旋回するように構成されていてもよい。一例では、光学的な送受信機４２は、互いに対して回転するように構成されていてもよい。さらに、ケーブ２０内の導体の一端は、光学的な送受信機４２及び印刷回路基板（ＰＣＢ）又は電気回路に接続されていてもよい。同様に、コネクタ１７は、光学的な送受信機４２及びセンサ１２内の印刷回路基板又は回路に接続される導体を備えていてもよい。ケーブル２０の端は、光学的な送受信機４２及びＰＣＢを含むように構成された離脱可能なコネクタを備えていてもよい。離脱可能なコネクタは、センサ１２の対応するコネクタに機械的に係合するように構成されていてもよい。さらに、図１は、充電回路及び検知ループが互いに分離され、互いに電気的に隔離されている場合、ケーブル４４が、任意の他のデータ接続に加え、接点４０及び入力電源３８に電気的に接続するように用いられていてもよいことを示している。
【００２２】
光学的な送受信機４２を用いて、検知ループを画定し、種々のセキュリティ事象、例えば、ケーブル２０がセンサ１２からいつ切断又は離脱されたか、及び／又はいつコネクタ１７が商品１４からいつ不正に取り外されたかを検知することができる。ケーブル２０がセンサ１２及び／又は商品１４からいつ着脱されたか及びコネクタ１７が商品からいつ取り外されたかを検出するために、種々の検知技術が用いられてもよいことを理解されたい。例えば、ケーブル２０の端における光学的な送受信機４２は、センサが商品１４及びケーブル２０が保護されていると判断することができる場合、光学信号をセンサ１２内の光学的な送受信機に通信していてもよい。そして、センサ１２内の光学的な送受信機４２は、商品１４が保護されていることを示す光学信号をケーブル２０の端の光学的な送受信機に通信していてもよい。光学信号は、セキュリティ事象が生じたことを判断するために認識可能及び／又は予期されるように特別にコード化されていてもよい。もし光学信号が中断されるか又は予期されない光学信号が受信されたならば、基部１８又は他のアラームユニットは、中断を検出し、警報信号を生成してもよい。例えば、基部１８又は他のアラームユニットは、聴覚警報及び／又は視覚警報を生成するように構成されていてもよい。例えば、図１は、基部１８が聴覚警報を生成するためのアラーム４８、例えば、圧電デバイスを備えていてもよいことを示している。センサ１２は、同様に又は代替的に、聴覚警報及び／又は視覚警報を生成するためのアラーム４８を備えている。基部１８は、キー、例えば、無線キーを介してセキュリティ起動及び／又はセキュリティ解除を行うように構成されていてもよい。例えば、図１は、基部１８がキーとの通信を容易にするためのポート４５を備えていてもよいことを示している。いくつかの実施形態では、光学的な送受信機は、２０１５年５月２８日に「光学的通信を伴う商品セキュリティシステム」と題して出願された米国仮出願第６２／１６７，３８２号及び２０１６年５月２５日に「光学的通信を伴う商品セキュリティシステム」と題して出願された米国出願第１５／１６３，８４６号に開示されている光学的な送受信機と同様である。これらの文献の内容は、引用することにより本明細書の一部をなすものとする。
【００２３】
図２〜図７は、リコイラ２２の実施形態を示している。リコイラ２２は、一般に、基部１８内において回転するように構成されたスプール５２又は回転可能な部材を備えている。基部１８は、ケーブル２０を受け入れるように構成された開口５６を画定しており、これによって、ケーブルがスプール５２から巻き戻される場合に該ケーブルを基部に対して引き延ばすことができ、ケーブルがスプール５２に巻き取られる場合に該ケーブルを基部に対して引き込むことができる。ケーブル２０は、ケーブル２０の軸に対して直角又は略直角（例えば、８５−９０°）であるとよい軸「Ｌ」に沿ってスプール５２の周りに巻き取られるとよい。図７に示されるように、スプール５２の外面は、スプールの長さの少なくとも一部に沿って延在する螺旋状凹部５５を備えていてもよい。螺旋状凹部５５は、ケーブル２０がスプール５２の周りに巻き取られる場合にケーブル２０の一部を受け入れるように寸法決めされ、かつ構成されていてもよい。螺旋状凹部５５は、スプール５２の周りに複数の巻条を画定することになる。スプール５２がケーブル２０に加えられた張力を介して回転する場合、該スプールは、スピンドル５８又は他の支持部材を中心として回転することができる。張力がケーブルから取り除かれた場合にケーブル２０をハウジング５４内に戻すように付勢するために、バネが用いられるとよい。いくつかの例では、螺旋状凹部５５の螺旋角は、０°と約２０°（＋／−１°）との間、０°と約１０°（＋／−１°）との間、又は０°と約５°（＋／−１°）との間にある。さらに、いくつかの実施形態では、螺旋状凹部５５のピッチは、０ｍｍと約５ｍｍ（＋／−１ｍｍ）との間、０ｍｍと約１０ｍｍ（＋／−１ｍｍ）との間、又は０ｍｍと約１５ｍｍ（＋／−１ｍｍ）との間にありうる。場合によっては、スプール５２は、２０１５年７月７日に「商品セキュリティ装置用ウインチリコイラ」と題して出願された米国仮出願第６２／１８９，２７４号に開示されているスプールと同様であってもよい。この文献の内容は、引用することにより本明細書の一部をなすものとする。
【００２４】
一部の例では、ケーブル２０がスプール５２に巻き取られると、ケーブル２０の少なくとも１つの巻条がスプール５２の周りに巻かれるように構成され、複数の巻条がスプールの周りに画定されるようになっていてもよい。一例では、スプール５２の長さは、スプールの外径と略等しくなっていてもよいし、又はスプールの外径よりも大きくなっていてもよい。ケーブル２０は、スプール５２の一端から他端に向って螺旋状凹部５５の周りに巻き付けられるように構成されていてもよい。一実施形態では、螺旋状凹部５５によって、ケーブルの単一列が所定の螺旋方向においてスプール５２の周りに巻かれることが可能になる。ケーブル２０が基部１８内に引き込まれる場合、いったんケーブル２０が一螺旋方向において螺旋状凹部５５の周りに巻かれたならば、該ケーブルは、第２の螺旋方向においてスプールの第１のケーブル層の周りに巻かれ、これによって、第２のケーブル層を形成するように構成されている。従って、螺旋状凹部５５は、第１のケーブル列を一方向においてスプール５２の周りに巻き付けるのを容易にし、ケーブルは、第１の螺旋方向と反対の方向に付勢され、これによって、第２のケーブル層を形成する。ケーブル２０を第１の螺旋方向に付勢する螺旋状凹部５５によって、いったんケーブルが螺旋状凹部の端まで巻かれたならば、該ケーブルは、反対方向に巻かれるように付勢されることになる。さらに、図６は、ケーブル２０の第２の層がケーブルの第１の層の約半分（＋／−５ｍｍ）の長さを有していてもよいことを示している。このようにして、ケーブル２０の第２の層は、スプール５２の略中点（＋／−５ｍｍ）において終端し、これによって、ケーブルの端を基部１８の開口５６と真っ直ぐに並べることができる。従って、螺旋状凹部５５によって、ケーブルを基部１８内においてより規則正しくかつよりコンパクトに取り扱うことが可能になる。
【００２５】
リコイラ２２は、いくつかの実施形態では、バネ６４も備えていてもよい。例えば、バネ６４は、スプール５２の一端に固定されていてもよい。一実施形態では、バネ６４は、可変力バネ又は可変トルクバネ、一定力バネ又は一定トルクバネ、又はゼンマイバネである。ケーブル２０への張力が取り除かれると、バネ６４のバネ力によって、スプール５２は、反対方向に回転し、これによって、ケーブルをスプールに戻すことになる。
【００２６】
前述したように、ケーブル２０は、１つ又は複数の導体を備えていてもよく、基部１８は、センサ１２への電力転送を容易にするようになっていてもよい。例えば、電力信号、セキュリティ信号、及び／又はデータ信号を送受信するために、ケーブル２０との電気通信を容易にするために、リコイラ２２は、スリップリング７２を備えていてもよい。スリップリング７２は、例えば、１つ又は複数の電線によって、ケーブル２０及び印刷回路基板２１に電気的に接続されていてもよい。スリップリング７２は、場合によっては、スプール５２と共に回転するように構成されていてもよい。図４及び図７は、いくつかの実施形態において、スリップリング７２がバネ６４と反対側のスプール５２の端に取り付けられていてもよいことを示している。
【００２７】
他の実施形態では、センサ１２を基部１８に係止するための係止特徴部が設けられていてもよい。この点に関して、図５を参照すると、係止機構８０は、センサが基部１８に着座した場合にセンサ１２を基部１８に係止するように構成され、これによって、スプール５２が回転するのを防ぎ、従って、ケーブル２０が基部に対して引き込まれるのを防ぐことになる。このような係止機構８０は、例えば、閉店後に、センサ１２及び商品１４を基部１８に固定することを望む小売店にとって有用である。なぜならば、センサを基部から離昇させることができないので、ケーブル２０にアクセスすることができないからである。図示される実施形態では、係止機構８０は、係止位置と離脱位置との間で回転するように構成された係止部材８２を備えている。この場合、係止部材８２は、独自の留め具であってもよい。他の実施形態では、係止機構８０は、スプール５２の回転を防ぐように係合するように構成されていてもよい。
【００２８】
本考案の実施形態は、いくつかの利点をもたらすことになる。例えば、リコイラの取付けの融通性を高めることができる。なぜならば、リコイラは、基部内に完全に配置されているからである。加えて、ケーブルが規則正しく重ね巻きされるように構成された場合にリコイラの長さが短縮されることを考慮すれば、基部の大きさもより融通性が利くことになる。さらに、スプール及び螺旋状凹部の構成は、ケーブルの引張力がより一定であって従来のリコイラの引張力よりも小さいことを考慮すると、良好なユーザ体験をもたらすことになる。
【００２９】
以上、商品を展示しながら盗難から保護するためのリコイラ、商品セキュリティシステム、及び方法の１つ以上の実施形態について説明してきた。当業者であれば、本考案の多くの変更及び修正が、本考案の精神及び範囲から逸脱することなくなされてもよいことを理解するであろう。従って、このような変更及び変更は、いずれも添付の請求項に含まれることが意図されている。
【図１】
0003218623.tif 000003
【図２】
0003218623.tif 000004
【図３】
0003218623.tif 000005
【図４】
0003218623.tif 000006
【図５】
0003218623.tif 000007
【図６】
0003218623.tif 000008
【図７】
0003218623.tif 000009
【図８】
0003218623.tif 000010
【図９】
0003218623.tif 000011
【図１０】
0003218623.tif 000012
【手続補正書】
【提出日】平成30年3月8日(2018.3.8)
【手続補正１】
【補正対象書類名】実用新案登録請求の範囲
【補正対象項目名】全文
【補正方法】変更
【補正の内容】
【実用新案登録請求の範囲】
【請求項１】
商品及び前記商品の補助装置を展示しながら盗難から保護するための商品セキュリティシステムであって、
前記商品に固定されたセンサであって、該センサからの前記商品の取外しを検出するものである、センサと、
前記センサ及び前記商品を取外し可能に支持する基部であって、前記補助装置に動作可能に接続する補助ポートをさらに備えている、基部と、
前記センサ及び前記基部に動作可能に接続されたケーブルと
を備えてなり、
前記基部からの前記補助装置の取外しを検出するために用いられるセキュリティ信号が、前記補助ポートを通して伝達されるようになっている、商品セキュリティシステム。
【請求項２】
前記補助ポートは、前記補助装置に動作可能に接続された入力コネクタを受け入れるように構成されている、請求項１に記載の商品セキュリティシステム。
【請求項３】
前記セキュリティ信号は、前記補助ポートからの前記入力コネクタの取外しを検出するために、前記ケーブル及び前記補助ポートを通って伝達されるように構成されている、請求項２に記載の商品セキュリティシステム。
【請求項４】
前記基部は、前記補助装置に電力を転送するように構成されている、請求項１に記載の商品セキュリティシステム。
【請求項５】
前記基部及び前記センサの各々は、前記商品を充電するための電力を転送するために、前記センサが前記基部上に着座した場合に互いに接触するように構成された１つ又は複数の電気接点を備えている、請求項１に記載の商品セキュリティシステム。
【請求項６】
前記基部は、前記基部の前記１つ又は複数の電気接点に電力を供給するために入力電源に電気的に接続された電力ケーブルをさらに備えている、請求項５に記載の商品セキュリティシステム。
【請求項７】
係止機構をさらに備えており、該係止機構は、前記センサが前記基部に着座した場合には、係止位置において前記センサを前記基部に係止することによって前記センサが前記基部から離昇するのを阻止し、解除位置において解除されて前記基部からの前記センサの取外しを可能にするように構成されている、請求項１に記載の商品セキュリティシステム。
【請求項８】
前記係止機構は、留め具によって前記係止位置と前記解除位置との間で移動するように構成されている、請求項７に記載の商品セキュリティシステム。
【請求項９】
前記係止機構は、前記係止位置と前記解除位置との間で回転するように構成されている、請求項７に記載の商品セキュリティシステム。
【請求項１０】
前記基部は、前記センサを支持するための上面と、ディスプレイ面上に配置されるための底面と、側面と、後面とを備えており、前記係止機構は、前記側面においてアクセス可能になっており、前記補助ポートは、前記後面においてアクセス可能になっている、請求項７に記載の商品セキュリティシステム。
【請求項１１】
前記補助ポートは、ＵＳＢ式入力ポートである、請求項１に記載の商品セキュリティシステム。
【請求項１２】
前記補助ポートは、補助装置に動作可能に接続するように構成されており、前記補助装置は、前記商品と共に動作するように構成されたタッチペン、スピーカー、キーボード、又はブルートゥース（登録商標）装置を含んでいる、請求項１に記載の商品セキュリティシステム。
【請求項１３】
前記基部は、前記補助装置の電力要件を決定し、該電力要件に基づいて、前記補助ポートを介して前記補助装置に電力を供給するように構成された充電回路を備えている、請求項１に記載の商品セキュリティシステム。
【請求項１４】
前記ケーブルは、前記セキュリティ信号を導通させるための検知ループを画定する１つ又は複数の導体を備えている、請求項１に記載の商品セキュリティシステム。
【請求項１５】
前記検知ループは、前記補助ポート内にさらに画定されている、請求項１４に記載の商品セキュリティシステム。
【請求項１６】
前記セキュリティ信号は、前記ケーブルの切断、短絡、又は遮断を検出するために、前記ケーブル及び前記補助ポートを通って伝達されるように構成されている、請求項１に記載の商品セキュリティシステム。
【請求項１７】
前記センサに離脱可能に係合するように構成された離脱可能なコネクタを前記ケーブルの端にさらに備える、請求項１に記載の商品セキュリティシステム。
【請求項１８】
前記センサ及び前記基部の各々は、聴覚警報及び／又は視覚警報を生成するためのアラームを備えている、請求項１に記載の商品セキュリティシステム。
【請求項１９】
前記基部は、無線キーによってセキュリティ解除されるように構成されている、請求項１に記載の商品セキュリティシステム。
【請求項２０】
前記基部は、前記無線キーとの通信を容易にするためのポートを備えている、請求項１９に記載の商品セキュリティシステム。
【請求項２１】
前記センサを前記商品に電気的に接続するように構成されたコネクタをさらに備え、  前記商品からの前記コネクタの取外しを検出するために、検知ループが前記コネクタを通って画定されるように構成されている、請求項１に記載の商品セキュリティシステム。
【請求項２２】
回転可能な部材を備えるリコイラをさらに備え、前記ケーブルは、引き延ばされる場合には前記回転可能な部材から巻き戻され、引き込まれる場合には前記回転可能な部材に巻き取られるように構成されている、請求項１に記載の商品セキュリティシステム。
【請求項２３】
前記基部は、前記リコイラを収容するように構成されている、請求項２２に記載の商品セキュリティシステム。
【請求項２４】
前記基部は、前記センサを支持するための上面、ディスプレイ面上に配置されるための底面、側面、及び後面を備えており、前記補助ポートは、前記後面に配置されている、請求項１に記載の商品セキュリティシステム。
【請求項２５】
前記ケーブルの端は、光学信号を前記センサと通信するための光学的な送受信機を備えている、請求項１に記載の商品セキュリティシステム。
【請求項２６】
前記ケーブルは、前記センサに離脱可能に係合するように構成された離脱可能なコネクタを備えており、前記離脱可能なコネクタは、前記光学的な送受信機を含むように構成されている、請求項２５に記載の商品セキュリティシステム。
【請求項２７】
前記ケーブルは、前記光学的な送受信機に電力を供給するための１つ又は複数の導体を備えている、請求項２５に記載の商品セキュリティシステム。
【請求項２８】
前記センサは、前記ケーブルの前記光学的な送受信機と光学信号を通信するための光学的な送受信機を備えている、請求項２５に記載の商品セキュリティシステム。
【請求項２９】
前記ケーブルの前記光学的な送受信機と前記センサの前記光学的な送受信機とは、前記ケーブルが切断又は遮断されたかどうかを判断するために互いに通信するように構成されている、請求項２８に記載の商品セキュリティシステム。
【請求項３０】
前記センサを前記商品に電気的に接続するように構成されたコネクタをさらに備え、  前記ケーブルの前記光学的な送受信機と前記センサの前記光学的な送受信機とは、前記コネクタが前記商品から取り外されたかどうかを判断するために、互いに通信するように構成されている、請求項２８に記載の商品セキュリティシステム。
【請求項３１】
前記ケーブルの前記光学的な送受信機と前記センサの前記光学的な送受信機とは、互いに対して回転するように構成されている、請求項２８に記載の商品セキュリティシステム。
【請求項３２】
前記ケーブルの前記光学的な送受信機と前記センサの前記光学的な送受信機とは、前記ケーブルを通る検知ループを画定するために互いに通信するように構成されている、請求項２８に記載の商品セキュリティシステム。
【請求項３３】
前記ケーブルの前記光学的な送受信機と前記センサの前記光学的な送受信機とは、空隙によって互いに分離されている、請求項２８に記載の商品セキュリティシステム。
【請求項３４】
商品を展示しながら盗難から保護するための商品セキュリティシステムであって、
前記商品に固定されるように構成されたセンサと、
前記センサ及び前記商品を取外し可能に支持するための基部であって、前記基部及び前記センサの各々は、前記商品を充電するための電力を転送するために、前記センサが前記基部上に着座した場合に互いに接触するように構成された１つ又は複数の電気接点を備えている、基部と、
前記センサが前記基部上に着座した場合に、係止位置において前記センサを前記基部に係止することによって前記センサが前記基部から離昇するのを阻止し、解除位置において解除され、前記センサが前記基部から取り外されるのを可能にするように構成された係止機構と、
前記センサに動作可能に連結されたリコイラであって、螺旋状凹部を画定する回転可能な部材を備えている、リコイラと、
前記センサに接続するように構成されたケーブルであって、前記ケーブルが引き延ばされる場合に前記回転可能な部材から巻き戻され、前記ケーブルが引き込まれる場合に前記回転可能な部材に巻き取られるように構成されている、ケーブルと
を備えてなり、
前記ケーブルは、前記センサが前記基部から離昇するのに応じて、前記基部から引き延ばされるように構成されており、前記ケーブルは、前記センサが前記基部の着座位置に移動するのに応じて、前記基部内に引き込まれるように構成されており、
前記螺旋状凹部は、前記ケーブルが前記回転可能な部材に巻き取られる場合に前記ケーブルを少なくとも部分的に受け入れるように構成されている、商品セキュリティシステム。
【請求項３５】
商品及び前記商品の補助装置を展示しながら盗難から保護するための商品セキュリティシステムであって、
前記商品に固定されるように構成されたセンサと、
前記センサ及び前記商品を取外し可能に支持するための基部であって、前記基部及び前記センサの各々は、前記商品を充電するための電力を転送するために、前記センサが前記基部上に着座した場合に互いに接触するように構成された１つまたは複数の電気接点を備えている、基部と、
前記センサ及び前記基部に動作可能に接続されるように構成されたケーブルと、
前記センサが前記基部上に着座した場合に、係止位置において前記センサを前記基部に係止することによって前記センサが前記基部から離昇しないように阻止し、解除位置において解除されて前記センサが前記基部から取り外されるのを可能にするように構成された係止機構と、
前記基部内に配置され、前記補助装置に動作可能に接続された入力コネクタを受け入れるように構成された補助ポートと
を備えてなり、
前記ケーブルの切断、前記センサ又は前記基部からの前記ケーブルの取外し、及び前記補助ポートからの前記入力コネクタの取外しを検出するために、セキュリティ信号が前記ケーブル及び前記補助ポートを通って伝達されるように構成されている、商品セキュリティシステム。
【請求項３６】
商品及び前記商品の補助装置を展示しながら盗難から保護するための商品セキュリティシステムであって、
前記商品に固定されるように構成されたセンサと、
前記センサ及び前記商品を取外し可能に支持するための基部であって、前記基部及び前記センサの各々は、前記商品を充電するための電力を転送するために、前記センサが前記基部上に着座した場合に互いに接触するように構成された１つ又は複数の電気接点を備えており、前記基部が前記補助装置に動作可能に接続するように構成された補助ポートをさらに備えている、基部と、
前記センサ及び前記基部に動作可能に接続されるように構成されたケーブルと
を備えてなり、
ケーブルの切断、短絡、遮断、及び前記基部からの前記補助装置の取外しを検出するために、セキュリティ信号が前記ケーブル及び前記補助装置を通って伝達されるように構成されている、商品セキュリティシステム。
【請求項３７】
商品を展示しながら盗難から保護するための商品セキュリティシステムであって、
前記商品に固定されるように構成されたセンサと、
前記センサ及び前記商品を取外し可能に支持するための基部と、
前記センサに動作可能に連結されたリコイラであって、螺旋状凹部を画定する回転可能な部材を備えている、リコイラと、
前記センサに接続するように構成されたケーブルであって、前記ケーブルが引き延ばされる場合に前記回転可能な部材から巻き戻され、前記ケーブルが引き込まれる場合に前記回転可能な部材に巻き取られるように構成されている、ケーブルと
を備えてなり、
前記ケーブルは、前記センサが前記基部から離昇することに応じて、前記基部から引き延ばされるように構成されており、前記ケーブルは、前記センサが前記基部の着座位置に移動することに応じて、前記基部内に引き込まれるように構成されており、
前記螺旋状凹部は、前記ケーブルが前記回転可能な部材に巻き取られる場合に前記ケーブルを少なくとも部分的に受け入れるように構成されている、商品セキュリティシステム。
【請求項３８】
前記回転可能な部材の外面は、前記螺旋状凹部を画定している、請求項３７に記載の商品セキュリティシステム。
【請求項３９】
前記ケーブルは、前記回転可能な部材上に重ね巻きされるように前記回転可能な部材の周りに巻き取られるように、構成されている、請求項１に記載の商品セキュリティシステム。
【請求項４０】
前記ケーブルは、前記回転可能な部材の周りに前記螺旋状凹部に沿って巻かれることによって第１のケーブル層を画定するように構成されており、さらに、前記ケーブルは、前記第１のケーブル層の周りに巻かれることによって第２のケーブル層を画定するように構成されている、請求項３９に記載の商品セキュリティシステム。
【請求項４１】
前記ケーブルは、前記第１のケーブル層を画定するために第１の螺旋方向に巻かれ、前記第２のケーブル層を画定するために第２の螺旋方向に巻かれるように構成されている、請求項４０に記載の商品セキュリティシステム。
【請求項４２】
前記第１の螺旋方向と前記第２の螺旋方向とは、互いに反対である、請求項４１に記載の商品セキュリティシステム。
【請求項４３】
前記回転可能な部材は、スプールから構成されている、請求項３７に記載の商品セキュリティシステム。
【請求項４４】
前記基部は、前記リコイラを収容するように構成されている、請求項３７に記載の商品セキュリティシステム。
【請求項４５】
前記基部内に配置され、前記商品の補助装置に動作可能に接続するように構成された補助ポートをさらに備える、請求項３７に記載の商品セキュリティシステム。
【請求項４６】
商品セキュリティシステム用リコイラであって、
螺旋状凹部を外面に画定する回転可能な部材と、
引き延ばされる場合に前記回転可能な部材から巻き戻され、引き込まれる場合に前記回転可能な部材に巻き取られるように構成されたケーブルと
を備えてなり、
前記螺旋状凹部は、前記ケーブルが前記回転可能な部材に巻き取られる場合に前記ケーブルを少なくとも部分的に受け入れるように構成されている、商品セキュリティシステム用リコイラ。
【請求項４７】
商品を展示しながら盗難から保護するための商品セキュリティシステムであって、
前記商品に固定されるように構成されたセンサと、
前記センサ及び前記商品を取外し可能に支持するための基部と、
前記センサ及び前記商品に動作可能に接続されるように構成されたケーブルと、
前記基部内に配置され、前記商品の補助装置に動作可能に接続するように構成された補助ポートと
を備えてなり、
セキュリティ事象を検出するための検知ループが、前記ケーブル及び前記補助ポート内に画定されている、商品セキュリティシステム。
【請求項４８】
前記基部は、前記商品及び前記補助装置に電力を転送するように構成されている、請求項４７に記載の商品セキュリティシステム。
【手続補正書】
【提出日】平成30年8月22日(2018.8.22)
【手続補正１】
【補正対象書類名】実用新案登録請求の範囲
【補正対象項目名】全文
【補正方法】変更
【補正の内容】
【実用新案登録請求の範囲】
【請求項１】
商品及び前記商品の補助装置を展示しながら盗難から保護するための商品セキュリティシステムであって、
前記商品に固定されたセンサであって、該センサからの前記商品の取外しを検出するものである、センサと、
前記センサ及び前記商品を取外し可能に支持する基部であって、前記補助装置に動作可能に接続する補助ポートをさらに備えている、基部と、
前記センサ及び前記基部に動作可能に接続されたケーブルと
を備えてなり、
前記基部からの前記補助装置の取外しを検出するために用いられるセキュリティ信号が、前記補助ポートを通して伝達されるようになっている、商品セキュリティシステム。
【請求項２】
前記補助ポートは、前記補助装置に動作可能に接続された入力コネクタを受け入れるように構成されている、請求項１に記載の商品セキュリティシステム。
【請求項３】
前記セキュリティ信号は、前記補助ポートからの前記入力コネクタの取外しを検出するために、前記ケーブル及び前記補助ポートを通って伝達されるように構成されている、請求項２に記載の商品セキュリティシステム。
【請求項４】
前記基部は、前記補助装置に電力を転送するように構成されている、請求項１に記載の商品セキュリティシステム。
【請求項５】
前記基部及び前記センサの各々は、前記商品を充電するための電力を転送するために、前記センサが前記基部上に着座した場合に互いに接触するように構成された１つ又は複数の電気接点を備えている、請求項１に記載の商品セキュリティシステム。
【請求項６】
前記基部は、前記基部の前記１つ又は複数の電気接点に電力を供給するために入力電源に電気的に接続された電力ケーブルをさらに備えている、請求項５に記載の商品セキュリティシステム。
【請求項７】
係止機構をさらに備えており、該係止機構は、前記センサが前記基部に着座した場合には、係止位置において前記センサを前記基部に係止することによって前記センサが前記基部から離昇するのを阻止し、解除位置において解除されて前記基部からの前記センサの取外しを可能にするように構成されている、請求項１に記載の商品セキュリティシステム。
【請求項８】
前記係止機構は、留め具によって前記係止位置と前記解除位置との間で移動するように構成されている、請求項７に記載の商品セキュリティシステム。
【請求項９】
前記係止機構は、前記係止位置と前記解除位置との間で回転するように構成されている、請求項７に記載の商品セキュリティシステム。
【請求項１０】
前記基部は、前記センサを支持するための上面と、ディスプレイ面上に配置されるための底面と、側面と、後面とを備えており、前記係止機構は、前記側面においてアクセス可能になっており、前記補助ポートは、前記後面においてアクセス可能になっている、請求項７に記載の商品セキュリティシステム。
【請求項１１】
前記補助ポートは、ＵＳＢ式入力ポートである、請求項１に記載の商品セキュリティシステム。
【請求項１２】
前記補助ポートは、補助装置に動作可能に接続するように構成されており、前記補助装置は、前記商品と共に動作するように構成されたタッチペン、スピーカー、キーボード、又はブルートゥース(登録商標）装置を含んでいる、請求項１に記載の商品セキュリティシステム。
【請求項１３】
前記基部は、前記補助装置の電力要件を決定し、該電力要件に基づいて、前記補助ポートを介して前記補助装置に電力を供給するように構成された充電回路を備えている、請求項１に記載の商品セキュリティシステム。
【請求項１４】
前記ケーブルは、前記セキュリティ信号を導通させるための検知ループを画定する１つ又は複数の導体を備えている、請求項１に記載の商品セキュリティシステム。
【請求項１５】
前記検知ループは、前記補助ポート内にさらに画定されている、請求項１４に記載の商品セキュリティシステム。
【請求項１６】
前記セキュリティ信号は、前記ケーブルの切断、短絡、又は遮断を検出するために、前記ケーブル及び前記補助ポートを通って伝達されるように構成されている、請求項１に記載の商品セキュリティシステム。
【請求項１７】
前記センサに離脱可能に係合するように構成された離脱可能なコネクタを前記ケーブルの端にさらに備える、請求項１に記載の商品セキュリティシステム。
【請求項１８】
前記センサ及び前記基部の各々は、聴覚警報及び／又は視覚警報を生成するためのアラームを備えている、請求項１に記載の商品セキュリティシステム。
【請求項１９】
前記基部は、無線キーによってセキュリティ解除されるように構成されている、請求項１に記載の商品セキュリティシステム。
【請求項２０】
前記基部は、前記無線キーとの通信を容易にするためのポートを備えている、請求項１９に記載の商品セキュリティシステム。
【請求項２１】
前記センサを前記商品に電気的に接続するように構成されたコネクタをさらに備え、  前記商品からの前記コネクタの取外しを検出するために、検知ループが前記コネクタを通って画定されるように構成されている、請求項１に記載の商品セキュリティシステム。
【請求項２２】
回転可能な部材を備えるリコイラをさらに備え、前記ケーブルは、引き延ばされる場合には前記回転可能な部材から巻き戻され、引き込まれる場合には前記回転可能な部材に巻き取られるように構成されている、請求項１に記載の商品セキュリティシステム。
【請求項２３】
前記基部は、前記リコイラを収容するように構成されている、請求項２２に記載の商品セキュリティシステム。
【請求項２４】
前記基部は、前記センサを支持するための上面、ディスプレイ面上に配置されるための底面、側面、及び後面を備えており、前記補助ポートは、前記後面に配置されている、請求項１に記載の商品セキュリティシステム。
【請求項２５】
前記ケーブルの端は、光学信号を前記センサと通信するための光学的な送受信機を備えている、請求項１に記載の商品セキュリティシステム。
【請求項２６】
前記ケーブルは、前記センサに離脱可能に係合するように構成された離脱可能なコネクタを備えており、前記離脱可能なコネクタは、前記光学的な送受信機を含むように構成されている、請求項２５に記載の商品セキュリティシステム。
【請求項２７】
前記ケーブルは、前記光学的な送受信機に電力を供給するための１つ又は複数の導体を備えている、請求項２５に記載の商品セキュリティシステム。
【請求項２８】
前記センサは、前記ケーブルの前記光学的な送受信機と光学信号を通信するための光学的な送受信機を備えている、請求項２５に記載の商品セキュリティシステム。
【請求項２９】
前記ケーブルの前記光学的な送受信機と前記センサの前記光学的な送受信機とは、前記ケーブルが切断又は遮断されたかどうかを判断するために互いに通信するように構成されている、請求項２８に記載の商品セキュリティシステム。
【請求項３０】
前記センサを前記商品に電気的に接続するように構成されたコネクタをさらに備え、  前記ケーブルの前記光学的な送受信機と前記センサの前記光学的な送受信機とは、前記コネクタが前記商品から取り外されたかどうかを判断するために、互いに通信するように構成されている、請求項２８に記載の商品セキュリティシステム。
【請求項３１】
前記ケーブルの前記光学的な送受信機と前記センサの前記光学的な送受信機とは、互いに対して回転するように構成されている、請求項２８に記載の商品セキュリティシステム。
【請求項３２】
前記ケーブルの前記光学的な送受信機と前記センサの前記光学的な送受信機とは、前記ケーブルを通る検知ループを画定するために互いに通信するように構成されている、請求項２８に記載の商品セキュリティシステム。
【請求項３３】
前記ケーブルの前記光学的な送受信機と前記センサの前記光学的な送受信機とは、空隙によって互いに分離されている、請求項２８に記載の商品セキュリティシステム。
【請求項３４】
商品を展示しながら盗難から保護するための商品セキュリティシステムであって、
前記商品に固定されるように構成されたセンサと、
前記センサ及び前記商品を取外し可能に支持するための基部であって、前記基部及び前記センサの各々は、前記商品を充電するための電力を転送するために、前記センサが前記基部上に着座した場合に互いに接触するように構成された１つ又は複数の電気接点を備えている、基部と、
前記センサが前記基部上に着座した場合に、係止位置において前記センサを前記基部に係止することによって前記センサが前記基部から離昇するのを阻止し、解除位置において解除され、前記センサが前記基部から取り外されるのを可能にするように構成された係止機構と、
前記センサに動作可能に連結されたリコイラであって、螺旋状凹部を画定する回転可能な部材を備えている、リコイラと、
前記センサに接続するように構成されたケーブルであって、前記ケーブルが引き延ばされる場合に前記回転可能な部材から巻き戻され、前記ケーブルが引き込まれる場合に前記回転可能な部材に巻き取られるように構成されている、ケーブルと
を備えてなり、
前記ケーブルは、前記センサが前記基部から離昇するのに応じて、前記基部から引き延ばされるように構成されており、前記ケーブルは、前記センサが前記基部の着座位置に移動するのに応じて、前記基部内に引き込まれるように構成されており、
前記螺旋状凹部は、前記ケーブルが前記回転可能な部材に巻き取られる場合に前記ケーブルを少なくとも部分的に受け入れるように構成されている、商品セキュリティシステム。
【請求項３５】
商品及び前記商品の補助装置を展示しながら盗難から保護するための商品セキュリティシステムであって、
前記商品に固定されるように構成されたセンサと、
前記センサ及び前記商品を取外し可能に支持するための基部であって、前記基部及び前記センサの各々は、前記商品を充電するための電力を転送するために、前記センサが前記基部上に着座した場合に互いに接触するように構成された１つまたは複数の電気接点を備えている、基部と、
前記センサ及び前記基部に動作可能に接続されるように構成されたケーブルと、
前記センサが前記基部上に着座した場合に、係止位置において前記センサを前記基部に係止することによって前記センサが前記基部から離昇しないように阻止し、解除位置において解除されて前記センサが前記基部から取り外されるのを可能にするように構成された係止機構と、
前記基部内に配置され、前記補助装置に動作可能に接続された入力コネクタを受け入れるように構成された補助ポートと
を備えてなり、
前記ケーブルの切断、前記センサ又は前記基部からの前記ケーブルの取外し、及び前記補助ポートからの前記入力コネクタの取外しを検出するために、セキュリティ信号が前記ケーブル及び前記補助ポートを通って伝達されるように構成されている、商品セキュリティシステム。
【請求項３６】
商品及び前記商品の補助装置を展示しながら盗難から保護するための商品セキュリティシステムであって、
前記商品に固定されるように構成されたセンサと、
前記センサ及び前記商品を取外し可能に支持するための基部であって、前記基部及び前記センサの各々は、前記商品を充電するための電力を転送するために、前記センサが前記基部上に着座した場合に互いに接触するように構成された１つ又は複数の電気接点を備えており、前記基部が前記補助装置に動作可能に接続するように構成された補助ポートをさらに備えている、基部と、
前記センサ及び前記基部に動作可能に接続されるように構成されたケーブルと
を備えてなり、
ケーブルの切断、短絡、遮断、及び前記基部からの前記補助装置の取外しを検出するために、セキュリティ信号が前記ケーブル及び前記補助装置を通って伝達されるように構成されている、商品セキュリティシステム。
【請求項３７】
商品を展示しながら盗難から保護するための商品セキュリティシステムであって、
前記商品に固定されるように構成されたセンサと、
前記センサ及び前記商品を取外し可能に支持するための基部と、
前記センサに動作可能に連結されたリコイラであって、螺旋状凹部を画定する回転可能な部材を備えている、リコイラと、
前記センサに接続するように構成されたケーブルであって、前記ケーブルが引き延ばされる場合に前記回転可能な部材から巻き戻され、前記ケーブルが引き込まれる場合に前記回転可能な部材に巻き取られるように構成されている、ケーブルと
を備えてなり、
前記ケーブルは、前記センサが前記基部から離昇することに応じて、前記基部から引き延ばされるように構成されており、前記ケーブルは、前記センサが前記基部の着座位置に移動することに応じて、前記基部内に引き込まれるように構成されており、
前記螺旋状凹部は、前記ケーブルが前記回転可能な部材に巻き取られる場合に前記ケーブルを少なくとも部分的に受け入れるように構成されている、商品セキュリティシステム。
【請求項３８】
前記回転可能な部材の外面は、前記螺旋状凹部を画定している、請求項３７に記載の商品セキュリティシステム。
【請求項３９】
前記ケーブルは、前記回転可能な部材上に重ね巻きされるように前記回転可能な部材の周りに巻き取られるように、構成されている、請求項３７に記載の商品セキュリティシステム。
【請求項４０】
前記ケーブルは、前記回転可能な部材の周りに前記螺旋状凹部に沿って巻かれることによって第１のケーブル層を画定するように構成されており、さらに、前記ケーブルは、前記第１のケーブル層の周りに巻かれることによって第２のケーブル層を画定するように構成されている、請求項３９に記載の商品セキュリティシステム。
【請求項４１】
前記ケーブルは、前記第１のケーブル層を画定するために第１の螺旋方向に巻かれ、前記第２のケーブル層を画定するために第２の螺旋方向に巻かれるように構成されている、請求項４０に記載の商品セキュリティシステム。
【請求項４２】
前記第１の螺旋方向と前記第２の螺旋方向とは、互いに反対である、請求項４１に記載の商品セキュリティシステム。
【請求項４３】
前記回転可能な部材は、スプールから構成されている、請求項３７に記載の商品セキュリティシステム。
【請求項４４】
前記基部は、前記リコイラを収容するように構成されている、請求項３７に記載の商品セキュリティシステム。
【請求項４５】
前記基部内に配置され、前記商品の補助装置に動作可能に接続するように構成された補助ポートをさらに備える、請求項３７に記載の商品セキュリティシステム。
【請求項４６】
商品セキュリティシステム用リコイラであって、
螺旋状凹部を外面に画定する回転可能な部材と、
引き延ばされる場合に前記回転可能な部材から巻き戻され、引き込まれる場合に前記回転可能な部材に巻き取られるように構成されたケーブルと
を備えてなり、
前記螺旋状凹部は、前記ケーブルが前記回転可能な部材に巻き取られる場合に前記ケーブルを少なくとも部分的に受け入れるように構成されている、商品セキュリティシステム用リコイラ。
【請求項４７】
商品を展示しながら盗難から保護するための商品セキュリティシステムであって、
前記商品に固定されるように構成されたセンサと、
前記センサ及び前記商品を取外し可能に支持するための基部と、
前記センサ及び前記商品に動作可能に接続されるように構成されたケーブルと、
前記基部内に配置され、前記商品の補助装置に動作可能に接続するように構成された補助ポートと
を備えてなり、
セキュリティ事象を検出するための検知ループが、前記ケーブル及び前記補助ポート内に画定されている、商品セキュリティシステム。
【請求項４８】
前記基部は、前記商品及び前記補助装置に電力を転送するように構成されている、請求項４７に記載の商品セキュリティシステム。